(57)【要約】【課題】  ステップの横幅が大きい多条仕様の乗用型田植機においても機体横からの乗降を容易に行うことができるようにする。【解決手段】  運転座席１２の下方に配備されたステップ１３の横外側下方に乗降ステップ１７を備えるとともに、ステップ１３の後部に予備苗補給用の乗上がりステップ３１を配備し、乗降ステップ１７の後部付近から縦手摺り３５ａを立設してある。【選択図】        図２
2008278765.tif 000002
【特許請求の範囲】
【請求項１】
運転座席の下方に配備されたステップの横外側下方に乗降ステップを備えるとともに、前記ステップの後部に予備苗補給用の乗上がりステップを配備し、前記乗降ステップの後部付近から縦手摺りを立設してあることを特徴とする乗用型田植機の機体構造。
【請求項２】
前記縦手摺りの上端から後方にサイド手摺りを延出し、このサイド手摺りを前記乗上がりステップの横外側上方位置に配備してある請求項１記載の乗用型田植機の機体構造。
【請求項３】
機体左右に設けられた前記サイド手摺りの後部同士を後手摺りで横架連結してある請求項２記載の乗用型田植機の機体構造。
【請求項４】
前記運転座席の後方に施肥装置の肥料ホッパを配備するとともに、この肥料ホッパの後側上方に前記後手摺りを位置させてある請求項３記載の乗用型田植機の機体構造。
【請求項５】
前記縦手摺り又はサイド手摺りに補助作業灯を装着してある請求項２〜４のいずれか一項に記載の乗用型田植機の機体構造。
【請求項６】
前記運転座席を前後位置調節可能に構成してある請求項１〜５のいずれか一項に記載の乗用型田植機の機体構造。
【発明の詳細な説明】
【技術分野】
【０００１】
本発明は、走行機体の後部に苗植付け装置を連結した乗用型田植機の機体構造に関する。
【背景技術】
【０００２】
近年の乗用型田植機は、ステップの左右に乗降ステップを備えて、機体の左右横側から乗降することができるとともに、ステップを機体前端にまで配備して、圃場に降りることなく、畦から直接に機体前端部を通って運転部に行き来することができるように構成されている（例えば、特許文献１参照）。
【特許文献１】特開２００６−９４７２９号公報
【発明の開示】
【発明が解決しようとする課題】
【０００３】
乗用型田植機では、ステップの後部に一段高い乗り上がりステップを配備して、苗植付け装置に備えられた苗のせ台への苗補給を高い位置から容易に行えるように構成されており、苗のせ台の幅に合わせて、乗り上がりステップの幅が設定されている。このため、植付け条数が多い乗用型田植機では乗り上がりステップの横幅が相当広いものとなり、運手座席から乗り上がりステップの横外端までの距離が大きいものとなって、乗降ステップを用いて機体横から乗降する場合、運転座席やステアリングハンドルなどに手が届き難く、機体横からの乗降が行いにくいものとなっていた。また、ステップから乗り上がりステップに乗り上がる際には、運転座席以外に掴むものがなく、特に、ステップの横外端近くから乗り上がりステップに乗り上がる時には運転座席からも離れるために乗り上がりにくくなるものであった。
【０００４】
本発明は、このような点に着目してなされたものであって、ステップの横幅が大きい多条使用の乗用型田植機においても機体横からの乗降や乗り上がりステップへの乗り上がりを容易に行うことができるようにすることを主たる目的としている。
【課題を解決するための手段】
【０００５】
第１の発明は、運転座席の下方に配備されたステップの横外側下方に乗降ステップを備えるとともに、前記ステップの後部に予備苗補給用の乗上がりステップを配備し、前記乗降ステップの後部付近から縦手摺りを立設してあることを特徴とする。
【０００６】
上記構成によると、乗降ステップを用いて機体横から乗り降りする場合に、縦手摺りを掴んで軽快に乗降することができるとともに、ステップから乗上がりステップに乗り上がる際にも、縦手摺りを使用することができる。
【０００７】
従って、第１の発明によると、ステップの横幅が大きい多条仕様の乗用型田植機においても機体横からの乗降や乗り上がりステップへの乗り上がりを容易に行うことができる。
【０００８】
第２の発明は、上記第１の発明において、
前記縦手摺りの上端から後方にサイド手摺りを延出し、このサイド手摺りを前記乗上がりステップの横外側上方位置に配備してあるものである。
【０００９】
上記構成によると、ステップの横外端近くから乗り上がりステップに乗り上がる時、縦手摺りおよびサイド手摺りを掴んで軽快に乗り上がることができる。乗り上がった状態においては、サイド手摺りで身体を支えて安定した体勢で苗補給作業を行うことができ、苗植付け装置に備えられた苗のせ台の横外端部への苗補給を行うの便利なものとなる。
【００１０】
第３の発明は、上記第２の発明において、
機体左右に設けられた前記サイド手摺りの後部同士を後手摺りで横架連結してあるものである。
【００１１】
上記構成によると、縦手摺り、サイド手摺り及び後手摺りの全体の横剛性が高いものとなって、作業者の体重を確実に支えることができ、乗降や苗補給作業を軽快容易に行うことができる。
【００１２】
第４の発明は、上記第３の発明において、
前記運転座席の後方に施肥装置の肥料ホッパを配備するとともに、この肥料ホッパの後側上方に前記後手摺りを位置させてあるものである。
【００１３】
上記構成によると、予備苗を苗植付け装置の苗のせ台に補給する際、重い予備苗を肥料ホッパの上面に触れることなく後手摺りに仮置きすることができ、ホッパ上面を苗すくい板や育苗箱で擦って傷つけることなく苗補給を行うことができる。肥料ホッパの上蓋が後支点周りに揺動開放される場合には、後手摺りが上蓋の開放揺動の邪魔になることはない。
【００１４】
第５の発明は、上記第２〜４のいずれか一つの発明において、
前記縦手摺り又はサイド手摺りに補助作業灯を装着してあるものである。
【００１５】
上記構成によると、植付け作業が夜間に及ぶような場合、縦手摺り又はサイド手摺りに補助作業灯を装着して機体左右の前方を照射することができ、機体前部の左右に備えられた照準具などを照射して、既植苗を基準にした植付け走行を夜間でも良好に行うことができる。
【００１６】
第６の発明は、上記第１〜５のいずれか一つの発明において、
前記運転座席を前後位置調節可能に構成してあるものである。
【００１７】
上記構成によると、運転座席を大きく前方に移動させて座席後方を開けることができ、開けた空間を作業者の左右移動通路にすることで、苗補給作業を容易に行うことができる。
【発明を実施するための最良の形態】
【００１８】
図１に、本発明に係る施肥装置付きの乗用型田植機の側面が、図２にその平面がそれぞれ示されている。この乗用型田植機は、前輪１と後輪２を備えた４輪駆動式の走行機体３の後部に、油圧シリンダ４で駆動される平行四連リンク構造のリンク機構５を介して苗植付け装置６が昇降自在に連結された基本構造を備え、走行機体３の後部に施肥装置７が搭載されている。走行機体３の前部における左右両側には２組の予備苗のせ台８が立設装備されるとともに、植付け苗列を基準にして植付け走行する際に用いる照準具９が左右一対装備されている。
【００１９】
走行機体３の前部には、エンジン１０を収容した原動部１１が設けられるとともに、機体後部に運転座席１２が設けられ、運転座席１２の足元にステップ１３が設けられている。ステップ１３は、運転座席１２の足元から原動部１１の左右両脇を通って機体前端部にまでおよぶ主ステップ１４と、この主ステップ１４の左右に連設された拡張ステップ１５とで構成され、走行機体３の左右両側から乗降できるのみならず、原動部１１の横側を通って機体前端からも乗降することができるようになっている。
【００２０】
主ステップ１３は板金プレス材で構成されているのに対して、拡張ステップ１５は樹脂材で透視可能なスノコ状に形成されており、走行機体３から横外方に張り出し設置された丸パイプ製の支持フレーム１６に拡張ステップ１５が連結支持されている。
【００２１】
苗植付け装置６は８条植え仕様に構成されており、８条分のマット状の苗を並列載置して一定ストロークで往復横移動される苗のせ台２１、苗のせ台２１の下端から１株分づつ苗を切り出して田面に押し込む６組の回転式の植付け機構２２、田面の植付け箇所を均平化するよう並列配備された５個の整地フロート２３、次の植付け走行行程における走行基準を田面に形成する左右に起伏揺動自在な左右一対のマーカ２４、等を備えている。
【００２２】
施肥装置７は、運転座席１２の後側に配備された樹脂製の肥料ホッパ２５、肥料ホッパ２５に貯留された粒状肥料を所定量づつ繰出す回転式の繰出し機構２６、繰出された肥料を風力搬送するために機体内部に設置された電動ブロワ２７、風力搬送される肥料を整地フロート２３に備えた作溝器２８に導く供給ホース２９、等を備えており、各条の植付け苗の横側近くの田面に作溝器２８で施肥溝を形成し、ここに肥料を送り込んで埋設するよう構成されている。
【００２３】
前記主ステップ１４の後部は、運転座席１２の横側において一段高く屈曲延出されて、運転座席１２の左右横側から後側に回り込む一連の補助ステップ１４ａが形成されるとともに、拡張ステップ１５の後部から補助ステップ１４ａと同高さの乗り上がりステップ３１が延出されている。この乗り上がりステップ３１は樹脂材をブロー成形して段違いの中空板状に形成されて、上面（踏み面）が滑り止め状に成形されている。図６，図７に示すように、乗り上がりステッ３１の前端部が拡張ステップ１５に載せ付けられてボルト連結されるとともに、乗り上がりステップ３１の後部が、走行機体３から横外方に張り出し設置された角パイプ製の支持ステー３２から後方に延出された支持アーム３２ａに載置されてボルト連結されている。図６，図８に示すように、乗り上がりステップ３１の後端と補助ステップ１４ａの後端に亘って左右一対の泥除けカバー３３が後向き片持ち状にボルト連結されており、後輪２で跳ね上げられた泥が繰出し機構２６に付着することが防止されている。なお、泥除けカバー３３の機体内方端部が、機体後部から立設された施肥装置支持フレーム３４にピン３４ａを介して係止支持されている。
【００２４】
左右の拡張ステップ１５を連結した各支持フレーム１６の後方寄り箇所に乗降ステップ１７が備えられるとともに、支持フレーム１６の後端と前記支持ステー３２とに亘って乗り上がりステップ３１よりも高いループ状の手摺り３５が取り付けられている。この手摺り３５は、丸パイプ材を屈曲して構成されており、乗降ステップ１７の後方近傍位置から立ち上がる前支柱としての縦手摺り３５ａと、この縦手摺り３５ａの上端から後方に伸びるサイド手摺り３５ｂと、サイド手摺り３５ｂの後端から下方に伸びる後支柱２５ｃとが一連に形成されている。
【００２５】
縦手摺り３５ａは、乗降ステップ１７を利用して機体横から乗り降りする場合に使用することができるとともに、苗のせ台２１への苗補給のためにステップ１３から乗上がりステップ３１に乗り上がる際の身体の支えに使用することができる。サイド手摺り３５ｂは、乗上がりステップ３１の横外側上方位置において、乗り上がりステップ３１に乗り上がった作業者の膝よりも高い位置に配備されており、乗り上がりステップ３１に乗り上がる際の身体の支えに使用することができるとともに、乗り上がりステップ３１に乗り上がって苗補給作業をする場合に、乗り上がりステップ３１の作業者が、身体（腿など）をサイド手摺り３５ｂに当て付けて体勢を安定保持して、苗のせ台２１における最外端条の苗載置部に苗補給を容易に行うことができる。
【００２６】
左右の手摺り３５の各後支柱３５ｃ同士が丸パイプ材からなる後手摺り３６で架橋連結されて、手摺り全体の横方向への剛性が高められている。図３に示すように、後手摺り３６は前記肥料ホッパ２５の後側においてホッパ上面より少し高く配置されており、予備苗のせ台８から取り出した予備苗を苗のせ台２１に補給する際、重い（数ｋｇ）予備苗をホッパ上面に触れることなく後手摺り３６に仮置きすることができ、ホッパ上面を苗すくい板や育苗箱で擦って傷つけることなく苗補給を行うことができる。図４に示すように、後手摺り３６は、肥料ホッパ２５の上蓋２５ａを後支点ａ周りに揺動開放するのに邪魔になることがなく、更に、図５に示すように、肥料ホッパ２５を繰出し機構２６のケース上半部と共に、支点ｂ周りに後揺動させて繰出し機構２６を開放するメンテナンス作業においても後手摺り３６が邪魔になることはない位置に設置されている。
【００２７】
図２に示すように、後手摺り３６における左右端部３６ａは平面視で後狭まりに傾斜されており、移動走行時や機体格納時に大きく起立揺動されて格納姿勢に保持されたマーカ２４が後手摺り３６の左右端部３６ａに干渉しないように構成されている。
【００２８】
図１中の仮想線で示すように、植付け作業が夜間にまで及ぶような場合には、機体前部の照準具９を照射する補助作業灯５１を手摺り３５の縦手摺り３５ａ（あるいは、サイド手すり３５ｂ）に取り付けるとともに、苗のせ台の２１の苗載置面を照射する補助作業灯５２を、苗浮き上がり防止用ステー５３の支持部５４に取り付け、予備苗のせ台８の周辺を照射する補助作業灯５５を支柱４１の上方に取り付けるとよい。
【００２９】
前記運転座席１２は、ロック解除レバー１８を操作することで前後にスライド位置調節可能に構成されるとともに、運転座席１２を前方に大きく移動することで、運転座席１２と肥料ホッパ２５との間を大きく開けて、作業者が自由に左右移動して苗補給を行うことができるようになっている。
【００３０】
左右の各予備苗のせ台８は、拡張ステップ１５の前部外側において走行機体３から延出立設された前後一対の支柱４１と、この支柱４１の機体横外側に上下４段に亘って片持ち棚板状に支持された苗受け棚４２とで構成されている。これら苗受け棚４２は、図１，図２に示すように、上下４段に配備された段積み形態と、図９，図１０に示すように、最上段の苗受け棚４２を除く下側３段の苗受け棚４２が前後直列に並べられて機体前方に延出された伸展形態とに切換え可能に構成されている。
【００３１】
最上段の苗受け棚４２は前後向き支点ｃ周りに起伏揺動可能に支持されており、横外方に倒伏した苗受け姿勢と、起立した格納姿勢に切換え揺動可能に構成されている。上から３段目の苗受け棚４２は支柱４１に固定されているのに対して、上から２段目の苗受け棚４２と最下段の苗受け棚４２は支柱４１に対して脱着可能に差込支持されており、上から２段目の苗受け棚４２と最下段の苗受け棚４２を支柱４１から取外して、固定の苗受け棚４２の前後に連結金具４５を介してピン連結することで伸展形態をもたらすことができる。この伸展形態においては、畦からの苗供給を受けることができ、育苗箱に入った予備苗を伸展形態における最前方の苗受け棚４２に載置して順次後方に押し込み移動させることで、複数枚の予備苗を一列状にして運転部に供給することができる。
【００３２】
図１０に示すように、伸展形態の苗受け棚４２は、平面視において後端が前端よりも横外方に偏位された傾斜状態となっており、最後部の苗受け棚４２が拡張ステップ１５の上に大きく重複するのを回避して、乗り上がりステップ３１への乗り上がる際に最後部の苗受け棚４２が邪魔にならないようになっている。
【００３３】
伸展形態における最後部の苗受け棚４２には、棒材からなる延長苗受け具４４が後方にスライド進出可能に備えられており、この延長苗受け具４４を後方にスライドさせることで、伸展形態の苗受け棚４２に最大４枚の予備苗を一列状に載置することが可能となっている。
【００３４】
〔他の実施例〕
（１）縦手摺り３５ａのみを備えた手摺り３５を立設して機体横からの乗降を容易にする形態で実施することもできる。
（２）縦手摺り３５ａ、サイド手摺り３５ｂ、および、後支柱３５ｃを備えた手摺り３５のみを立設して、後手摺り３６を省略した形態で実施することもできる。
【図面の簡単な説明】
【００３５】
【図１】乗用型田植機の全体側面図
【図２】乗用型田植機の全体平面図
【図３】運転座席周辺の側面図
【図４】肥料ホッパの上蓋開放状態を示す側面図
【図５】肥料ホッパを後傾揺動させた状態を示す側面図
【図６】運転座席周辺のステップ構造の一部を示す平面図
【図７】図６におけるＡ-Ａ断面図
【図８】図６におけるＢ-Ｂ断面図
【図９】予備苗のせ台を伸展形態に設定した状態の側面図
【図１０】予備苗のせ台を伸展形態に設定した状態の平面図
【符号の説明】
【００３６】
７            施肥装置
１２          運転座席
１３          ステップ
１７          乗降ステップ
２５          肥料ホッパ
３１          乗り上がりステップ
３５ａ        縦手摺り
３５ｂ        サイド手摺り
３６          後手摺り
５１          補助作業灯
【図１】
2008278765.tif 000003
【図２】
2008278765.tif 000004
【図３】
2008278765.tif 000005
【図４】
2008278765.tif 000006
【図５】
2008278765.tif 000007
【図６】
2008278765.tif 000008
【図７】
2008278765.tif 000009
【図８】
2008278765.tif 000010
【図９】
2008278765.tif 000011
【図１０】
2008278765.tif 000012